(57)【特許請求の範囲】
【請求項１】
吸水部に吸水口が設けられている吸水管の内部に、膨張したときに吸水部全体を吸水管の内側から覆うことができるようにされた変形可能なバルーンを挿入し、膨張したバルーンが吸水部全体に面接するようにバルーンへガスを供給し、膨張したバルーンで吸水口を隙間無く閉塞したまま、予め地盤に削孔したガイド穴中の所定位置に吸水部が到達するまで吸水管をガイド穴に沿って曲げながら送る吸水管の送り方法。
【請求項２】
吸水管の送り後、供給しているガスを抜きバルーンを収縮させて吸水管からバルーンを引き抜く請求項１記載の吸水管の送り方法。
【請求項３】
ワイヤをバルーンに接続し、吸水管の地上側開口部からワイヤを手繰り寄せてバルーンを吸水管の管内から回収する請求項２記載の吸水管の送り方法。
【請求項４】
吸水口を貫通形成した吸水部を有し、地盤に形成されたガイド穴に挿入されて試料水を採取する吸水管において、
ガイド穴に沿って撓み可能な管材にて形成されるとともに、ガスにより膨張変形及び収縮変形が可能なバルーンを吸水部の内側に備えており、
該バルーンは膨張によって吸水部に対し隙間無く押接して吸水口を閉塞するものであることを特徴とする吸水管。
【請求項５】
一端がバルーンに連結されており、他端が管内を通じて地上に延在しており、バルーンを膨張させるガスを供給するチューブを備える請求項４記載の吸水管。
【請求項６】
一端がバルーンに接続されており、吸水管の地上側開口部から他端を手繰り寄せてバルーンを管内から回収するワイヤを備える請求項４又は請求項５記載の吸水管。
【発明の詳細な説明】
【０００１】
【発明の属する技術分野】
本発明は、分析の対象とするサンプルとしての試料水を地下から採取する方法に関し、特には、予め設けたガイド穴に吸水パイプを挿入し、地上から吸引を行うことにより試料水を採取する方法に関する。
【０００２】
【従来の技術】
分析の対象となる試料水を地下から採取するために用いられている従来の方法として、以下のようなものがある。即ち、採取したい水が存在する地下の所定位置にまで伸びるガイド穴を予め設け、試料水採取用の吸水口を複数設けた吸水部がその先端に設けられている吸水管を上記ガイド穴に挿入し、試料水が存在する位置に吸水部が到達するまで吸水管をガイド穴の中へ送り込み、そしてその状態で地上から吸水管内に負圧を与えることにより吸水口から水を吸引して試料水を採取するという方法が用いられている。そして、この方法は、地下の正確な位置の試料水を採取できるものである点で優れている。
【０００３】
しかしながら、この方法を用いるためには、ガイド穴中を摺動させるようにして所定位置まで吸水管を送る必要があり、このとき吸水管に設けられた吸水口へ土砂が詰まってしまうことが多い。このように吸水口が目詰まりした場合には、その後に吸水管に負圧を与えても効率よく試料水を採取することができない。
【０００４】
【発明が解決しようとする課題】
従って、本発明は、吸水管に設けられた吸水口に土砂が詰まるのを防止しながら、地中に設けられたガイド穴の中で吸水管を送る方法を提供することを目的としている。
【０００５】
【課題を解決するための手段】
かかる課題を解決するため、本発明では、吸水部に吸水口が設けられている吸水管の内部に、膨張したときに吸水部全体を吸水管の内側から覆うことができるようにされたバルーンを挿入し、膨張したバルーンが吸水部全体に面接するようにバルーンへガスを供給し、吸水口をバルーンで塞いだ状態のまま、予め設けたガイド穴中の所定位置に吸水部が到達するまで吸水管を送ることにより、ガイド穴の中で吸水管を送ることとしている。
【０００６】
つまり、本発明では、吸水管の内部に挿入されたバルーンへガスを供給し、膨張したバルーンが吸水部全体に面接するような状態となったままで、吸水管をガイド穴中で送ることとしている。このようにすれば、バルーン表面によって言わば吸水口に蓋をした状態を保ちつつガイド穴中の吸水管を送ることができる。従って、土砂による吸水口の目詰まりを防ぎつつ、ガイド穴内の吸水管を送ることができるようになる。尚、バルーンは必ずしも弾力のある素材とする必要はない。また、バルーンは、膨張時に、吸水管の内側から少なくとも吸水部全体を覆うことができるものであることが必要である。従ってバルーンは、吸水管の全長に渡って吸水管の内面に面接するようなものでもよい。
【０００７】
また、この方法では、吸水口を塞ぐための手段として、変形可能なバルーンを用いることとしている。従って、吸水管を所定の位置にまで送込んだ後、供給していたガスを抜いてバルーンを収縮させることにより、地上から容易にバルーンを引き抜くことができる。これにより、試料水の吸引を行う際に、バルーンが吸水管内でその妨げとなることがない。尚、吸水管の開口部から挿入されたワイヤをバルーンに接続し、開口部から該ワイヤを手繰り寄せることによりバルーンを吸水管から引き抜けるようにすると、バルーンの引き抜きを容易に行えるようになるため好ましい。
【０００８】
【発明の実施の形態】
図１を参考にして、本発明による吸水管の送り方法の実施形態についての説明を行う。図１中１はガイド穴である。ガイド穴１は、吸水管２を地中で送る場合のガイドとしてはたらく。このガイド穴１は、任意の方法により予め設けられているものである。
【０００９】
吸水管２は、ガイド穴１内部をガイド穴１に沿って送られる。ガイド穴１は曲折して設けられている場合もあるので、吸水管２はガイド穴１に沿って曲げながら送ることができるような素材で形成されている。
【００１０】
吸水管２の先端には吸水部３が設けられている。そしてこの吸水部３には、複数の吸水口４が設けられている。この吸水口４は、地上から吸水管２内を吸引した場合に吸水管２外部にある液体を吸水するためのものであり、その形状は特に問わない。吸水口は、図示したように円形の小孔とすることもできるし、スリット状の開口部とすることもできる。
【００１１】
吸水管１の内側には、バルーン５が挿入されている。バルーン５は、それが膨張したときに吸水部３全体を吸水管２の内側から覆うことができるようにされている。尚、バルーン５は変形可能であるから、吸水口４がどのような形状として設けられていたとしても、隙間なく吸水口４を覆うことができる。また、バルーン５には、口金６を介してチューブ７が連結されており、このチューブ７を通してガスを送り込めるようになっている。
【００１２】
ガスを送込まれたバルーン５は、吸水管２内で膨張し、吸水管２の内側から吸水口４に蓋をする状態になる。尚、図示した状態では、ガスを送込まれ、バルーンは膨張させられている。この状態を保ったまま吸水管２はガイド穴１内を送られるため、吸水口４に土砂が詰まることがない。
【００１３】
尚、吸水部３が採取しようとする液体がある位置に達するまで吸水管２をガイド穴１中で送ったら、バルーン５内のガスをチューブ７を通して排出する。内部のガスが抜かれるとバルーン５は収縮し、吸水口４穴は開状態となる。次に、バルーン５からガスを抜いたら、口金６に接続されたワイヤ８を地上から巻き取ることによりバルーン５を吸水管２内部から抜き取る。そして、この状態で地上から吸水管２内を吸引することにより、吸水部３の周囲に存在する液体を吸引する。
【００１４】
【発明の効果】
本発明の方法は以上説明したようなものなので、吸水管に設けられた吸水口に土砂が詰まるのを防止しながら、地中に設けられたガイド穴の中で吸水管を送ることを可能とする。
【図面の簡単な説明】
【図１】この発明に係る第１実施形態を説明するための断面図。
【符号の説明】
１  ガイド穴
２  吸水管
３  吸水部
４  吸水口
５  バルーン
６  口金
７  チューブ
８  ワイヤ
【図１】
0003787419.tif 000002